(57)【要約】      （修正有）【課題】ファンユニットを取付部材に、より簡単に設置可能とする手段を提供する。【解決手段】モータ駆動装置１０は、取付孔２２ａが形成された取付部材１２と、取付孔２２ａを塞ぐように配置される蓋部３６を有し、取付部材１２に固定されるファンユニット１４と、取付部材１２との間で蓋部３６を挟み込んで該蓋部３６が取付部材１２から離れる方向へ移動するのを規制する規制部材１６と、規制部材１６が、蓋部３６の離れる方向への移動を許容する非規制位置から、該蓋部３６の該離れる方向への移動を規制する規制位置へ、該蓋部３６に沿って移動する動作を案内するガイド機構５２とを備える。【選択図】図１
2019088037.tif 000002
【特許請求の範囲】
【請求項１】
取付孔が形成された取付部材と、
前記取付孔の少なくとも一部を塞ぐように前記取付部材に面して配置される蓋部を有し、前記取付部材に固定されるファンユニットと、
前記取付部材との間で前記蓋部を挟み込んで該蓋部が前記取付部材から離れる方向へ移動するのを規制する規制部材と、
前記規制部材が、前記蓋部の前記離れる方向への移動を許容する非規制位置から、該蓋部の該離れる方向への移動を規制する規制位置へ、該蓋部に沿って移動する動作を案内するガイド機構と、を備える、モータ駆動装置。
【請求項２】
前記ガイド機構は、
前記規制部材及び前記取付部材の一方に設けられたシャフト部と、
前記規制部材及び前記取付部材の他方に設けられ、前記規制部材の前記取付部材に対する回転を許容するとともに該規制部材が前記蓋部に沿って移動する前記動作を許容するように、前記シャフト部を摺動可能に受容するガイド溝と、を有する、請求項１に記載のモータ駆動装置。
【請求項３】
前記ガイド溝は、
前記規制部材が前記蓋部に対して接近及び離反する移動を許容する第１の溝部と、
前記第１の溝部に接続され、前記規制部材が前記蓋部に沿って移動する前記動作を許容する第２の溝部と、を有する、請求項２に記載のモータ駆動装置。
【請求項４】
前記規制部材が前記規制位置へ移動したときに、該規制部材が前記蓋部から離れる方向へ移動するのを規制するロック機構を備える、請求項１〜３のいずれか１項に記載のモータ駆動装置。
【請求項５】
前記ロック機構は、
前記規制部材及び前記取付部材の一方に設けられた第１係合部と、
前記規制部材及び前記取付部材の他方に設けられ、前記第１係合部と脱離可能に係合する第２係合部と、を有する、請求項４に記載のモータ駆動装置。
【請求項６】
前記規制部材は、前記蓋部とは反対側に設けられた取手部をさらに有する、請求項１〜５のいずれか１項に記載のモータ駆動装置。
【発明の詳細な説明】
【技術分野】
【０００１】
本発明は、ファンユニットを備えるモータ駆動装置に関する。
【背景技術】
【０００２】
強電盤に設けられる取付部材と、該取付部材に固定されるファンユニットとを備えるモータ駆動装置が知られている（例えば、特許文献１）。
【先行技術文献】
【特許文献】
【０００３】
【特許文献１】特開２００９−０２７７７６号公報
【発明の概要】
【発明が解決しようとする課題】
【０００４】
従来、ファンユニットを取付部材に、より簡単に設置可能とする技術が求められている。
【課題を解決するための手段】
【０００５】
本開示の一態様において、モータ駆動装置は、取付孔が形成された取付部材と、取付孔の少なくとも一部を塞ぐように取付部材に面して配置される蓋部を有し、取付部材に固定されるファンユニットと、取付部材との間で蓋部を挟み込んで該蓋部が取付部材から離れる方向へ移動するのを規制する規制部材と、規制部材が、蓋部の離れる方向への移動を許容する非規制位置から、該蓋部の該離れる方向への移動を規制する規制位置へ、該蓋部に沿って移動する動作を案内するガイド機構とを備える。
【発明の効果】
【０００６】
本開示によれば、ボルト等の締結具を用いることなく、規制部材によって蓋部を取付部材に固定することができるので、ファンユニットを取付部材に取り付ける作業を簡単とすることができる。
【図面の簡単な説明】
【０００７】
【図１】一実施形態に係るモータ駆動装置の斜視図である。
【図２】図１に示すモータ駆動装置の側面図であって、一部の部材を断面表示している。
【図３】図１に示すファンユニットの斜視図である。
【図４】図２に示す規制部材を、蓋部に向かって回転させた状態を示す。
【図５】図４に示す規制部材を規制位置に移動させた状態を示す。
【図６】他の実施形態に係るモータ駆動装置の斜視図である。
【図７】図６に示すモータ駆動装置の側面図である。
【図８】図７に示す規制部材を蓋部に向かって移動させた状態を示す。
【図９】図８に示す規制部材を規制位置に移動させた状態を示す。
【図１０】他の実施形態に係るガイド溝を示す。
【図１１】さらに他の実施形態に係るガイド溝を示す。
【図１２】他の実施形態に係る規制部材を示す。
【発明を実施するための形態】
【０００８】
以下、本開示の実施の形態を図面に基づいて詳細に説明する。なお、以下に説明する種々の実施形態において、同様の要素には同じ符号を付し、重複する説明を省略する。また、以下の説明においては、図中の直交座標系を方向の基準とし、便宜上、ｘ軸プラス方向を右方、ｙ軸プラス方向を前方、ｚ軸プラス方向を上方とする。
【０００９】
図１〜図３を参照して、一実施形態に係るモータ駆動装置１０について説明する。モータ駆動装置１０は、中空の強電盤Ａの内部に収容される。強電盤Ａは、隔壁Ｂを有し、モータ駆動装置１０は、隔壁Ｂに固定される。なお、図１においては、隔壁Ｂの一部のみが図示されている。
【００１０】
モータ駆動装置１０は、取付部材１２、ファンユニット１４、規制部材１６、ヒートシンク１８、及びパワー素子２０を備える。取付部材１２は、隔壁Ｂに形成された開口部Ｃ（図２）に嵌め込まれ、ボルト等の締結具（図示せず）によって、該隔壁Ｂに固定されている。
【００１１】
取付部材１２は、ベースプレート２２、規制部材保持部２４、及び規制部材嵌合部２６を有する。ベースプレート２２は、後側から見てｚ軸方向に長尺な略矩形の外形を有し、隔壁Ｂの後側に固定されている。
【００１２】
ベースプレート２２には、該ベースプレート２２をｙ軸方向へ貫通する取付孔２２ａ及び開口部２２ｂが形成されている。取付孔２２ａ及び開口部２２ｂは、隔壁Ｂに形成された開口部Ｃと連通している。
【００１３】
取付孔２２ａは、後側から見てｘ軸方向に長尺な略矩形の外形を有する。開口部２２ｂは、後側から見てｚ軸方向に長尺な略矩形の外形を有し、取付孔２２ａの下方に離隔して配置されている。
【００１４】
規制部材保持部２４は、基部２８、及び、一対の保持壁３０ａ及び３０ｂを有する。基部２８は、後側から見てｘ軸方向に長尺な略矩形の外形を有する平板部材であって、ベースプレート２２の後面２２ｃから後方へ突出するように、該ベースプレート２２に設けられている。
【００１５】
基部２８の後面２８ａと、規制部材嵌合部２６の後面２６ｂとは、ｘ−ｚ平面と略平行であり、且つ、互いに略同じｙ軸方向の位置に配置されている。すなわち、基部２８の後面２８ａと、規制部材嵌合部２６の後面２６ｂとは、同じ平面上に配置されている。
【００１６】
保持壁３０ａ及び３０ｂは、基部２８の後面２８ａから後方へ突出するように設けられ、互いにｘ軸方向に離隔して配置されている。保持壁３０ａ及び３０ｂの各々には、ガイド溝３２が形成されている。
【００１７】
ガイド溝３２は、保持壁３０ａ及び３０ｂをｘ軸方向に貫通し、且つ、ｚ軸方向に延在する長孔である。なお、図１及び図２においては、保持壁３０ａに形成されたガイド溝３２のみが図示されている。
【００１８】
規制部材嵌合部２６は、ベースプレート２２の後面２２ｃから後方へ突出するように設けられ、第１係合部３４を有する。本実施形態においては、第１係合部３４は、規制部材嵌合部２６の上面２６ａから下方へ凹むように設けられ、ｘ軸方向に延在する凹溝である。
【００１９】
図３に示すように、ファンユニット１４は、蓋部３６、封止部材３８、ファン支持部４０、及びファン本体４２を有する。蓋部３６は、ｙ軸方向から見てｘ軸方向に長尺な略矩形の平板部材であって、前面３６ａと、該前面３６ａとは反対側の後面３６ｂとを有する。
【００２０】
封止部材３８は、蓋部３６の前面３６ａに設けられている。封止部材３８は、蓋部３６の中央部を取り囲むように、該蓋部３６の外周縁に沿って延びる輪状部材である。封止部材３８は、例えば、ゴム等の弾性材料から構成される。
【００２１】
ファン支持部４０は、略矩形の外形を有する環状の板部材であって、その後端が蓋部３６の前面３６ａに固定されている。ファン支持部４０には、該ファン支持部４０をｚ軸方向に貫通する通気孔（図示せず）が形成されている。
【００２２】
ファン本体４２は、ファン支持部４０に設置されている。ファン本体４２は、複数の羽根を有する回転体（図示せず）と、該回転体を回転させるモータ（図示せず）とを有し、ファン支持部４０の通気孔を通して、ヒートシンク１８内を流動する気流を生じさせる。本実施形態においては、ファン本体４２は、蓋部３６の前面３６ａから前方へ僅かに離隔して配置されている。
【００２３】
図１及び図２に示すように、規制部材１６は、本体部４４、一対のシャフト部４６（図２）、及び第２係合部４８を有する。本体部４４は、略矩形の外形を有する平板部材であって、第１の面４４ａ、該第１の面４４ａとは反対側の第２の面４４ｂ、右側面４４ｃ、及び左側面４４ｄを有する。
【００２４】
一対のシャフト部４６の各々は、円柱状である。一対のシャフト部４６のうちの一方は、本体部４４の右側面４４ｃから右方へ突出するように本体部４４に設けられており、保持壁３０ａに形成されたガイド溝３２に受容されている。
【００２５】
一方、一対のシャフト部４６のうちの他方は、本体部４４の左側面４４ｄから左方へ突出するように本体部４４に設けられており、保持壁３０ｂに形成されたガイド溝３２に受容されている。なお、図２においては、一対のシャフト部４６のうち、右側の一方のみが図示されている。
【００２６】
ここで、ガイド溝３２のｚ軸方向の長さは、シャフト部４６の直径よりも大きい。したがって、シャフト部４６は、ガイド溝３２内をｚ軸方向へ摺動可能である。シャフト部４６とガイド溝３２とが係合することによって、規制部材１６は、規制部材保持部２４に回転可能に支持されている。
【００２７】
第２係合部４８は、本体部４４の第１の面４４ａから突出するように設けられ、ｘ軸方向から見て略Ｌ字状に延在している。なお、規制部材１６は、例えば金属又は強化樹脂のような、弾性変形し難い材料から構成され得る。
【００２８】
また、規制部材１６は、絶縁材料から構成されてもよい。規制部材１６を絶縁材料から構成することにより、パワー素子２０との絶縁距離を短くすることができるので、パワー素子２０のレイアウトの自由度を向上させることができる。
【００２９】
ヒートシンク１８は、ベースプレート２２の前側に固定され、ファン本体４２の直下に配置されている。パワー素子２０は、ヒートシンク１８の後面１８ａに取り付けられており、ベースプレート２２の開口部２２ｂを通して、隔壁Ｂの後方側の空間に露出されている。モータ駆動装置１０の稼働時にパワー素子２０に生じた熱は、ヒートシンク１８に伝導し、該ヒートシンク１８で放熱される。
【００３０】
次に、図２、図４、及び図５を参照して、ファンユニット１４を取付部材１２に着脱する方法について説明する。ファンユニット１４を取付部材１２に取り付けるとき、オペレータは、規制部材１６を、図１及び図２に示すように、取付孔２２ａを解放する位置に配置する。
【００３１】
次いで、オペレータは、図２に示すように、ファン支持部４０及びファン本体４２を、取付孔２２ａへ後側から挿入する。このとき、蓋部３６の前面３６ａに設けられた封止部材３８は、ベースプレート２２の後面２２ｃと当接する。この状態においては、蓋部３６は、規制部材嵌合部２６の後面２６ｂ、及び、規制部材保持部２４の基部２８の後面２８ａよりも、後方へ突出している。
【００３２】
次いで、オペレータは、規制部材１６を、図２に示す位置から、右方から見て時計回りに回転させる。このとき、シャフト部４６がガイド溝３２と係合することにより、規制部材１６が取付部材１２から脱落することなく、取付部材１２に対する規制部材１６の回転移動が案内される。
【００３３】
その結果、図４に示すように、規制部材１６は、取付部材１２と当接する位置に配置され、蓋部３６を前方へ押圧する。これにより、蓋部３６は、ベースプレート２２の後面２２ｃに面するように規制部材１６と後面２２ｃとの間で挟持され、取付孔２２ａを閉塞する。
【００３４】
このとき、規制部材１６の本体部４４の第１の面４４ａは、蓋部３６の後面３６ｂ、規制部材嵌合部２６の後面２６ｂ、及び規制部材保持部２４の基部２８の後面２８ａと接触し、蓋部３６を前方へ押圧する。そして、蓋部３６の後面３６ｂは、後面２６ｂ及び２８ａと略同じ平面内に配置される。
【００３５】
また、封止部材３８は、蓋部３６と、ベースプレート２２の後面２２ｃとの間で挟持されて圧縮され、蓋部３６とベースプレート２２との隙間を封止する。こうして、取付孔２２ａは、蓋部３６及び封止部材３８によって、気密に閉塞される。また、封止部材３８は、圧縮されたときに、反力として、蓋部３６を後方へ押す。
【００３６】
図４に示す状態においては、規制部材１６の第２係合部４８は、規制部材嵌合部２６の第１係合部３４に嵌入されておらず、規制部材嵌合部２６の上面２６ａから上方へ僅かに離隔している。また、シャフト部４６は、ガイド溝３２の上端（又は、その近傍）に配置されている。
【００３７】
次いで、オペレータは、規制部材１６を、図４に示す位置から、蓋部３６の後面３６ｂに沿って下方へ移動させる。そうすると、シャフト部４６は、ガイド溝３２の上端から下方へ、ガイド溝３２に案内されつつ該ガイド溝３２内を摺動する。
【００３８】
その結果、シャフト部４６は、ガイド溝３２の下端に達し、規制部材１６は、図５に示す規制位置へ配置される。このとき、規制部材１６の第２係合部４８は、規制部材嵌合部２６の第１係合部３４に嵌入されて該第１係合部３４と係合し、該第１係合部３４を画定する後壁面にｙ軸方向（すなわち、ファンユニット１４の挿抜方向）に当接する。
【００３９】
これにより、規制部材１６が、右側から見て反時計回りへ回転する移動が規制され、以って、蓋部３６の後方（すなわち、取付部材１２から離れる方向）への移動が規制される。このように、本実施形態においては、第１係合部３４及び第２係合部４８は、規制部材１６が蓋部３６から離れる方向へ移動するのを規制するロック機構５０（図５）を構成する。
【００４０】
また、封止部材３８は、圧縮された反力として、蓋部３６を後方へ押しているので、該蓋部３６は、規制部材１６に押し付けられることになる。このため、蓋部３６は、規制部材１６とベースプレート２２の後面２２ｃとの間で強固に固定される。このように、本実施形態においては、封止部材３８は、蓋部３６を後方（すなわち、取付部材１２から離れる方向）へ押す力を生成する力生成部として機能する。
【００４１】
なお、本稿においては、蓋部３６の後方への移動が許容される規制部材１６の位置を、非規制位置として言及する。例えば、図２及び図４においては、第１係合部３４と第２係合部４８とが係合しておらず、故に、蓋部３６（すなわち、ファンユニット１４）は、後方へ移動可能となっている。
【００４２】
したがって、図２及び図４に示す規制部材１６の位置は、非規制位置に相当する。すなわち、本実施形態における非規制位置とは、第１係合部３４と第２係合部４８とが係合していない規制部材１６の位置に相当する。
【００４３】
上述したように、本実施形態においては、シャフト部４６と、該シャフト部４６をｚ軸方向へ摺動可能となるように受容するガイド溝３２とによって、規制部材１６が、図４に示す位置（非規制位置）から図５に示す規制位置へ蓋部３６に沿って移動する動作が案内される。したがって、シャフト部４６及びガイド溝３２は、規制部材１６が非規制位置から規制位置へ蓋部３６に沿って移動する動作を案内するガイド機構５２を構成する。
【００４４】
一方、ファンユニット１４を取付部材１２から取り外すとき、オペレータは、規制部材１６を、図５に示す規制位置から、図４に示す位置（非規制位置）まで、蓋部３６の後面３６ｂに沿って上方へ移動させ、第２係合部４８を第１係合部３４から脱離させる。
【００４５】
次いで、オペレータは、規制部材１６を、右側から見て反時計回りへ回転させ、図２に示すように蓋部３６から離反させる。そして、オペレータは、ファンユニット１４を後方へ抜き出す。
【００４６】
以上のように、本実施形態によれば、ボルト等の締結具を用いることなく、規制部材１６によって蓋部３６を取付部材１２に固定することができるので、ファンユニット１４を取付部材１２に着脱する作業を簡単とすることができる。
【００４７】
また、本実施形態においては、ガイド機構５２によって、規制部材１６を、図２に示す位置から図３に示す位置まで回転させ、次いで、図３に示す位置から蓋部３６に沿って下方へ移動させて、図４に示す規制位置に配置する動作が案内される。
【００４８】
この構成によれば、規制部材１６を弾性変形させることなく規制位置に配置させることができるので、規制部材１６を弾性部材から作製する必要がなくなり、また、規制部材１６の長寿命化を実現できる。
【００４９】
この作用効果について、以下に説明する。仮に、規制部材１６のｚ軸方向への移動を案内するガイド機構５２（すなわち、ガイド溝３２）が設けられておらず、規制部材１６を回転させて取付部材１２に嵌合させる場合、第２係合部４８を弾性変形させつつ、第１係合部３４に嵌入させる（いわゆる、スナップ嵌めする）必要が生じる。
【００５０】
この場合、規制部材１６を弾性変形し易い材料から構成する必要があり、また、第２係合部４８を第１係合部３４に嵌入させるために規制部材１６に力を与える必要がある。さらに、第２係合部４８を第１係合部３４に着脱する動作を繰り返すことで、第２係合部４８を繰り返し弾性変形させることになり、これにより、規制部材１６に疲労が生じる虞がある。
【００５１】
本実施形態によれば、ガイド機構５２によって、規制部材１６を回転させた後に下方へ移動させて規制位置に配置させることができるので、規制部材１６を弾性変形させることなく規制位置に配置させることができる。したがって、規制部材１６を弾性部材から作製する必要がなくなり、故に、弾性変形し難い、高剛性（又は高硬度）材料から構成できる。
【００５２】
このように規制部材１６を高剛性材料から構成した場合、規制部材１６は、規制位置に配置されたときに、変形することなく蓋部３６を押圧できるので、蓋部３６を均等な圧力で押圧できる。その結果、封止部材３８に歪みが生じるのを防止できるので、取付孔２２ａの密閉性を高めることができる。
【００５３】
また、オペレータは、規制部材１６に力を与えることなく、第２係合部４８を第１係合部３４に容易に嵌入させることができる。また、規制部材１６に弾性変形による疲労が生じることがないので、規制部材１６の長寿命化を実現できる。
【００５４】
また、ガイド機構５２によって規制部材１６の規制位置への移動、及び規制位置からの離脱の動作が案内されるので、規制部材１６を規制位置に進退する動作の再現性を高めることができる。したがって、複数のオペレータが規制部材１６を規制位置に進退する動作を実行したとしても、規制部材１６を規制位置に対して正確に配置及び退去することができる。
【００５５】
また、規制部材１６は、ガイド機構５２によって、図２に示す位置から図４に示す位置へ回転して蓋部３６を取付部材１２に押し付けた後、蓋部３６に沿って下方へ移動して規制位置に配置される。この構成によれば、規制部材１６が蓋部３６に掛ける圧力を、より均一化でき、封止部材３８に歪みが生じるのを、より効果的に防止できる。
【００５６】
また、本実施形態においては、ガイド機構５２が、シャフト部４６とガイド溝３２とから構成されている。この構成によれば、規制部材１６の回転、及び蓋部３６に沿う方向（すなわち、ｚ軸方向）への移動を円滑とするように、規制部材１６の動作を案内できる。
【００５７】
したがって、オペレータは、規制部材１６を非規制位置から規制位置（又は、その逆）へ移動させる動作を、円滑に行うことができる。また、ガイド機構５２の構造を簡単化することができる。
【００５８】
また、本実施形態においては、モータ駆動装置１０は、規制部材１６が規制位置へ移動したときに該規制部材１６が蓋部３６から離れる方向へ移動するのを規制するロック機構５０を備える。この構成によれば、規制部材１６によって蓋部３６（すなわち、ファンユニット１４）を取付部材１２に強固に固定できる。
【００５９】
また、本実施形態においいては、ロック機構５０は、第２係合部４８及び第１係合部３４から構成されている。この構成によれば、上記のような機能を果たすロック機構５０を、より簡単な構造で実現することができる。
【００６０】
次に、図６〜図９を参照して、他の実施形態に係るモータ駆動装置７０について説明する。なお、図６においては、理解の容易の観点から、ファンユニット１４を省略している。モータ駆動装置７０は、上述のモータ駆動装置１０と、取付部材７２及び規制部材７３において相違する。
【００６１】
取付部材７２は、ベースプレート２２、及び、一対の規制部材保持部７４及び７６を有する。規制部材保持部７４は、取付孔２２ａの右側に隣接して配置されており、ベースプレート２２の後面２２ｃから後方へ突出するように、ベースプレート２２に設けられている。
【００６２】
規制部材保持部７４には、ｚ軸方向に離隔して配置された計２個のガイド溝７８が形成されている。図７に示すように、ガイド溝７８の各々は、ｙ軸方向に延在する第１の溝部７８ａと、該第１の溝部７８ａに接続され、ｚ軸方向へ延在する第２の溝部７８ｂとを有する。
【００６３】
第１の溝部７８ａは、その後端にて規制部材保持部７４の後面７４ａ上で外部へ開口し、該後面７４ａから前方へ延びている。第２の溝部７８ｂは、第１の溝部７８ａの前端から下方へ延びている。
【００６４】
規制部材保持部７６は、規制部材保持部７４から左方へ離隔するように、取付孔２２ａの左側に隣接して配置されている。規制部材保持部７４と同様に、規制部材保持部７６には、計２個のガイド溝７８が形成されている。
【００６５】
規制部材保持部７４に形成された上側のガイド溝７８と、規制部材保持部７６に形成された上側のガイド溝７８とは、互いに同じｚ軸方向の位置に配置されている。また、規制部材保持部７４に形成された下側のガイド溝７８と、規制部材保持部７６に形成された下側のガイド溝７８とは、互いに同じｚ軸方向の位置に配置されている。
【００６６】
規制部材７３は、本体部８０、及び計４個の円柱状のシャフト部８２を有する。本体部８０は、後側から見てｘ軸方向に長尺な略矩形の平板部材である。本体部８０の右側面８０ａには、計２個のシャフト部８２が、該右側面８０ａから右方へ突出するように、設けられている。また、本体部８０の左側面８０ｂには、計２個のシャフト部８２が、該左側面８０ｂから左方へ突出するように、設けられている。
【００６７】
右側面８０ａに設けられた上側のシャフト部８２と、左側面８０ｂに設けられた上側のシャフト部８２とは、互いに同心に配置されている。また、右側面８０ａに設けられた下側のシャフト部８２と、左側面８０ｂに設けられた下側のシャフト部８２とは、互いに同心に配置されている。
【００６８】
モータ駆動装置７０においてファンユニット１４を取付部材７２に設置する場合、オペレータは、図６に示すように規制部材７３を取付部材７２から取り外した状態で、ファンユニット１４を規制部材保持部７４及び７６の間に配置する。
【００６９】
そして、オペレータは、ファン支持部４０及びファン本体４２を、取付孔２２ａへ後側から挿入する。その結果、図７に示すように、蓋部３６の前面３６ａに設けられた封止部材３８は、ベースプレート２２の後面２２ｃと当接し、蓋部３６は、規制部材保持部７４及び７６の間に配置される。
【００７０】
次いで、オペレータは、規制部材７３の右側面８０ａに設けられたシャフト部８２を、それぞれ、規制部材保持部７４に形成されたガイド溝７８の第１の溝部７８ａに挿入するとともに、規制部材７３の左側面８０ｂに設けられたシャフト部８２を、それぞれ、規制部材保持部７６に形成されたガイド溝７８の第１の溝部７８ａに挿入する。
【００７１】
そして、オペレータは、図８に示すように、規制部材７３を蓋部３６に対して接近するように前方へ移動させる。この動作に伴って、シャフト部８２は、対応する第１の溝部７８ａ内を前方へ摺動し、第１の溝部７８ａの前端（すなわち、第２の溝部７８ｂの上端）に到達する。
【００７２】
このとき、規制部材７３の本体部８０は、蓋部３６の後面３６ｂを押圧し、これにより、封止部材３８は、蓋部３６と、ベースプレート２２の後面２２ｃとの間で挟持されて圧縮され、蓋部３６とベースプレート２２との隙間を封止する。こうして、取付孔２２ａは、蓋部３６及び封止部材３８によって、気密に閉塞される。
【００７３】
なお、図８に示す状態においては、規制部材７３の、蓋部３６から離れる方向（すなわち、後方）への移動が許容されている。したがって、図８に示す規制部材７３の位置は、非規制位置に相当する。
【００７４】
次いで、オペレータは、規制部材７３を、図８に示す位置から、蓋部３６の後面３６ｂに沿って下方へ移動させる。そうすると、シャフト部８２の各々は、対応する第２の溝部７８ｂの上端から下方へ向かって、第２の溝部７８ｂに案内されつつ、該第２の溝部７８ｂ内を摺動する。その結果、規制部材７３は、図９に示す規制位置に配置される。
【００７５】
このとき、シャフト部８２の各々は、対応する第２の溝部７８ｂの下端に達し、該第２の溝部７８ｂを画定する後壁面とｙ軸方向に係合し、シャフト部８２の後方への移動が規制される。
【００７６】
このシャフト部８２と第２の溝部７８ｂの後壁面との係合構造により、規制部材７３の蓋部３６から離れる方向（すなわち、後方）への移動が規制される。このように、本実施形態においては、シャフト部８２と第２の溝部７８ｂの後壁面との係合構造は、規制部材７３が蓋部３６から離れる方向へ移動するのを規制するロック機構を構成する。
【００７７】
上述したように、本実施形態においては、シャフト部８２及びガイド溝７８によって、規制部材７３が図７に示す位置（非規制位置）から図８に示す位置（非規制位置）へ移動し、次いで、図８に示す位置から図９に示す規制位置へ蓋部３６に沿って移動する動作が案内される。したがって、シャフト部８２及びガイド溝７８は、規制部材７３が非規制位置から規制位置へ蓋部３６に沿って移動する動作を案内するガイド機構８４を構成する。
【００７８】
一方、ファンユニット１４を取付部材７２から取り外すとき、オペレータは、規制部材７３を、図９に示す規制位置から、図８に示す位置（非規制位置）まで、蓋部３６の後面３６ｂに沿って上方へ移動させる。
【００７９】
次いで、オペレータは、規制部材７３を蓋部３６から離れるように後方へ移動させる。その結果、図６に示すように、規制部材７３を取付部材７２から取り外し、以って、ファンユニット１４を取付孔２２ａから引き出すことができる。
【００８０】
本実施形態によれば、上述の実施形態と同様に、規制部材７３を弾性変形させることなく規制位置に配置させることができるので、規制部材７３を弾性変形し難い材料から構成できる。また、規制部材７３は、図７に示す位置から図８に示す位置へ移動して蓋部３６をベースプレート２２に押し付けた後、下方へ移動して規制位置に配置される。したがって、規制部材７３が蓋部３６に掛ける圧力を均一化できる。
【００８１】
また、本実施形態においては、第１の溝部７８ａ及び第２の溝部７８ｂによって、オペレータは、規制部材７３を前方へ移動させた後に下方へ移動させる一連の動作を行うだけで、規制部材７３を規制位置に円滑且つ容易に配置させることができる。
【００８２】
なお、ガイド溝７８の変形例として、種々の形態がある。以下、図１０及び図１１を参照して、ガイド溝７８の変形例について説明する。なお、図１０及び図１１においては、理解の容易の観点から、ファンユニット１４を省略している。
【００８３】
図１０に示す取付部材７２’においては、ガイド溝９０は、円弧状に延在するように、規制部材保持部７４’及び７６’にそれぞれ設けられている。より具体的には、規制部材保持部７４’及び７６’の各々に、計２個のガイド溝９０が、互いにｚ軸方向に離隔して形成されている。
【００８４】
各々のガイド溝９０は、その後端にて規制部材保持部７４’及び７６’の後面７４ａ及び７６ａ上で外部に開口し、該後面７４ａ及び７６ａから前方へ向かうにつれて下方へ円弧状に湾曲して延びるように、設けられている。これらガイド溝９０は、略同じ曲率半径を有している。なお、ガイド溝９０は、円弧状に限らず、任意の曲線に沿って延在するものであってもよい。
【００８５】
図１０に示す実施形態において規制部材７３を取付部材７２’に取り付ける場合、オペレータは、ファン支持部４０及びファン本体４２（図示せず）を取付孔２２ａへ後側から挿入し、蓋部３６（図示せず）を、規制部材保持部７４’及び７６’の間に配置する。
【００８６】
次いで、オペレータは、規制部材７３のシャフト部８２を、対応するガイド溝９０にそれぞれ挿入し、規制部材７３を前方へ移動させる。そうすると、シャフト部８２は、ガイド溝９０によって案内されつつ該ガイド溝９０内を摺動する。これにより、規制部材７３は、ガイド溝９０に沿って、蓋部３６（図示せず）に接近しながら該蓋部３６に沿って下方へ移動し、ガイド溝９０の下端９０ａに達する。
【００８７】
シャフト部８２がガイド溝９０の下端９０ａに達したとき、該シャフト部８２は、ガイド溝９０を画定する後壁面にｙ軸方向に係合し、これにより、規制部材７３が蓋部３６から離れるように後方へ移動するのが規制される。すなわち、本実施形態においては、シャフト部８２とガイド溝９０の後壁面との係合構造は、規制部材７３の後方へ移動を規制するロック機構を構成する。
【００８８】
一方、図１１に示す取付部材７２”は、取付孔２２ａの右側に隣接して配置された規制部材保持部７４”と、取付孔２２ａの左側に隣接して配置された規制部材保持部７６”とを有する。
【００８９】
規制部材保持部７４”は、互いにｚ軸方向に離隔する第１の部分９２及び第２の部分９４を有する。第１の部分９２には、その上面９２ａから下方へ延在するガイド溝９６が形成されている。また、第２の部分９４には、その上面９４ａから下方へ延在するガイド溝９６が形成されている。
【００９０】
同様に、規制部材保持部７６”は、互いにｚ軸方向に離隔した第１の部分９８及び第２の部分１００を有する。第１の部分９８には、その上面９８ａから下方へ延在するガイド溝９６が形成されており、第２の部分１００には、その上面１００ａから下方へ延在するガイド溝９６が形成されている。このように、取付部材７２”には、ｚ軸方向へ延在する計４個のガイド溝９６が形成されている。
【００９１】
取付部材７２”に規制部材７３を取り付ける場合、オペレータは、ファン支持部４０及びファン本体４２（図示せず）を取付孔２２ａへ後側から挿入し、蓋部３６（図示せず）を、規制部材保持部７４”及び７６”の間に配置する。
【００９２】
次いで、オペレータは、規制部材７３のシャフト部８２を、対応するガイド溝９６に上側からそれぞれ嵌入する。このとき、規制部材７３は、図８に示すように蓋部３６を前方へ押圧し、これにより、封止部材３８は、規制部材７３とベースプレート２２との間で挟持されて圧縮される。
【００９３】
次いで、オペレータは、規制部材７３を蓋部３６（図示せず）に沿って下方へ移動させる。この動作に伴って、シャフト部８２は、ガイド溝９６に案内されつつ該ガイド溝９６内を下方へ摺動し、該ガイド溝９６の下端９６ａに達する。
【００９４】
シャフト部８２がガイド溝９６の下端９６ａに達したとき、該シャフト部８２は、ガイド溝９６を画定する後壁面にｙ軸方向に係合しており、これにより、規制部材７３が蓋部３６から離れるように後方へ移動するのが規制される。すなわち、本実施形態においては、シャフト部８２とガイド溝９６の後壁面との係合構造は、規制部材７３の後方への移動を規制するロック機構を構成する。
【００９５】
図１０及び図１１に示す実施形態においても、上述の実施形態と同様に、規制部材７３を弾性変形させることなく規制位置に配置させることができるので、規制部材７３を弾性変形し難い材料から構成できる。また、オペレータは、規制部材７３を円滑且つ容易に規制位置へ配置することができるとともに、規制部材７３が蓋部３６に掛ける圧力を均一化できる。
【００９６】
なお、上述の規制部材７３は、絶縁材料から構成されてもよい。また、蓋部３６は、取付孔２２ａの一部を塞ぐように構成されてもよい。また、上述のガイド機構（５２、８４）として、種々の形態を適用できる。例えば、ガイド機構は、レールと、該レールと係合し且つ該レール上を転動する車輪とから構成されてもよい。
【００９７】
また、規制部材１６又は７３は、蓋部３６とは反対側に設けられた取手部をさらに有してもよい。このような実施形態について、図１２を参照して説明する。図１２に示す規制部材１６’は、本体部４４、一対のシャフト部４６、第２係合部４８、及び取手部１０２を有する。
【００９８】
取手部１０２は、本体部４４の第２の面４４ｂから外方へ突出するように設けられている。なお、取手部１０２は、本体部４４の第２の面４４ｂから内方へ凹む凹部として設けられてもよい。
【００９９】
この取手部１０２を設けることによって、オペレータは、該取手部１０２を持って規制部材１６’を容易に移動させることができる。なお、取手部１０２を、規制部材７３の本体部８０の、蓋部３６とは反対側の面に形成することもできる。
【０１００】
以上、実施形態を通じて本開示を説明したが、上述の実施形態は、特許請求の範囲に係る発明を限定するものではない。
【符号の説明】
【０１０１】
１０，７０    モータ駆動装置
１２，７２，７２’、７２”    取付部材
１４    ファンユニット
１６，１６’，７３    規制部材
５２，８４    ガイド機構
【図１】
2019088037.tif 000003
【図２】
2019088037.tif 000004
【図３】
2019088037.tif 000005
【図４】
2019088037.tif 000006
【図５】
2019088037.tif 000007
【図６】
2019088037.tif 000008
【図７】
2019088037.tif 000009
【図８】
2019088037.tif 000010
【図９】
2019088037.tif 000011
【図１０】
2019088037.tif 000012
【図１１】
2019088037.tif 000013
【図１２】
2019088037.tif 000014